(57)【要約】      （修正有）【課題】ページ番号を付与するか否かを容易に設定可能な印刷装置及びその制御方法、並びにプログラムを提供する。【解決手段】印刷装置は、記録紙に画像を印刷可能な印刷手段を備えた印刷装置であって、印刷手段により、複数の記録紙を用いて画像を印刷する場合に、１つ以上の記録紙を含むブロック単位でページ番号を付与しない記録紙を設定する設定手段と、設定手段により設定された記録紙を除いてページ番号を記録紙に印刷するように印刷手段を制御する制御手段とを備える。【選択図】図１５
2014027604.tif 000002
【特許請求の範囲】
【請求項１】
記録紙に画像を印刷可能な印刷手段を備えた印刷装置であって、
前記印刷手段により、複数の記録紙を用いて画像を印刷する場合に、１つ以上の記録紙を含むブロック単位でページ番号を付与しない記録紙を設定する設定手段と、
前記設定手段により設定された記録紙を除いてページ番号を記録紙に印刷するように前記印刷手段を制御する制御手段と
を備えたことを特徴とする印刷装置。
【請求項２】
原稿から画像を読み取る読み取り手段をさらに備え、
前記読み取り手段により読み取られた複数の画像を前記印刷手段により印刷する場合には、前記読み取り手段により前記原稿を読み取る前か、前記読み取り手段により前記原稿を読み取った後に、前記設定手段がページ番号を付与しない記録紙を設定することを特徴とする請求項１記載の印刷装置。
【請求項３】
前記複数の記録紙は、表紙、合紙、及び裏表紙のうちの少なくとも１つと、前記表紙、合紙、及び裏表紙以外の記録紙である普通記録紙とを含み、前記ブロック単位として、前記表紙のブロック、前記合紙のブロック、前記裏表紙のブロック、及び前記普通記録紙のブロックがあり、
前記印刷装置から出力される順番に従って、前記表紙のブロック、前記合紙のブロック、前記裏表紙のブロック、及び前記普通記録紙の各々を示すアイコンを含む画面を表示部に表示することを特徴とする請求項１または請求項２記載の印刷装置。
【請求項４】
前記画面は、前記普通記録紙の枚数を示す情報をさらに含むことを特徴とする請求項３記載の印刷装置。
【請求項５】
前記表紙、合紙、及び裏表紙に前記画像を前記印刷手段により印刷するか否かを設定可能であることを特徴とする請求項３または請求項４記載の印刷装置。
【請求項６】
前記印刷装置から連続して出力される複数の普通記録紙に付与されるページ番号の開始番号を設定可能であることを特徴とする請求項３乃至５のいずれか１項に記載の印刷装置。
【請求項７】
記録紙に画像を印刷可能な印刷手段を備えた印刷装置の制御方法であって、
前記印刷手段により、複数の記録紙を用いて画像を印刷する場合に、前記複数の記録紙のうち、ページ番号を付与しない記録紙を設定する設定ステップと、
前記設定ステップにより設定された記録紙を除いてページ番号を記録紙に印刷するように前記印刷手段を制御する制御ステップと
を備えたことを特徴とする制御方法。
【請求項８】
記録紙に画像を印刷可能な印刷手段を備えた印刷装置の制御方法をコンピュータに実行させるためのプログラムであって、
前記制御方法は、
前記印刷手段により、複数の記録紙を用いて画像を印刷する場合に、前記複数の記録紙のうち、ページ番号を付与しない記録紙を設定する設定ステップと、
前記設定ステップにより設定された記録紙を除いてページ番号を記録紙に印刷するように前記印刷手段を制御する制御ステップと
を備えたことを特徴とするプログラム。
【請求項９】
記録紙に画像を印刷可能な印刷手段を備えた印刷装置であって、
前記印刷手段により、複数の記録紙を用いて画像を印刷する場合に、合紙によって区切られるブロック単位でページ番号を付与するか否かを設定する設定手段と、
前記設定手段によってページ番号を付与するよう設定されたブロックに属するページにページ番号を付与するように前記印刷手段を制御する制御手段と
を備えたことを特徴とする印刷装置。
【発明の詳細な説明】
【技術分野】
【０００１】
本発明は、印刷装置及びその制御方法、並びにプログラムに関する。
【背景技術】
【０００２】
画像を記録紙に印刷する際、表紙、裏表紙、または合紙を挿入し、更に、挿入した表紙、裏表紙、または合紙の各々の表面や裏面に対して原稿画像を印刷するか否かを選択可能な挿入機能を有する印刷装置がある。
【０００３】
この挿入機能において、ユーザは記録紙の何枚目に合紙を挿入するかを操作部から入力するようになっている。
【０００４】
そして、ユーザが挿入機能を利用する際に挿入位置を容易に設定できるよう、読み込んだ原稿画像のプレビュー画像を生成して操作部に表示し、プレビュー画像に対して挿入位置の詳細を設定する技術が開示されている（例えば、特許文献１参照）。
【０００５】
また、原稿画像を記録紙に出力する際、ページ番号を合成して出力するページ印字機能を有する画像形成装置がある。
【先行技術文献】
【特許文献】
【０００６】
【特許文献１】特開２００６−１９９０４号公報
【発明の概要】
【発明が解決しようとする課題】
【０００７】
しかしながら、上述したページ印字機能では、ユーザは複数枚の用紙のうちの特定の用紙のみを指定してページ番号を付与することができなかった。
【０００８】
また、挿入機能によって表紙や合紙が挿入された画像データに対して、表紙や合紙以外のページのみにページ番号を付与したい場合に、ユーザは、ページ番号を付与するページを容易に指定することができなかった。
【０００９】
本発明の目的は、ページ番号を付与するか否かを容易に設定可能な印刷装置及びその制御方法、並びにプログラムを提供することにある。
【課題を解決するための手段】
【００１０】
上記目的を達成するために、請求項１の印刷装置は、記録紙に画像を印刷可能な印刷手段を備えた印刷装置であって、前記印刷手段により、複数の記録紙を用いて画像を印刷する場合に、１つ以上の記録紙を含むブロック単位でページ番号を付与しない記録紙を設定する設定手段と、前記設定手段により設定された記録紙を除いてページ番号を記録紙に印刷するように前記印刷手段を制御する制御手段とを備えたことを特徴とする。
【発明の効果】
【００１１】
本発明によれば、ページ番号を付与するか否かを容易に設定可能な印刷装置及びその制御方法、並びにプログラムを提供することができる。
【図面の簡単な説明】
【００１２】
【図１】本発明の実施の形態に係る印刷装置の外観を示す図である。
【図２】図２におけるコントローラの概略構成を示す図である。
【図３】図１におけるエッジ抽出回路の構成を示す図である。
【図４】図１におけるスキャナの概略構成を示す図である。
【図５】図１におけるプリンタの概略構成を示す図である。
【図６】図１における操作部を示す図である。
【図７】図６における液晶ディスプレイに表示される初期画面を示す図である。
【図８】図６における液晶ディスプレイに表示されるその他の機能画面を示す図である。
【図９】図６における液晶ディスプレイに表示される印字設定画面を示す図である。
【図１０】図６における液晶ディスプレイに表示される表紙設定画面を示す図である。
【図１１】図６における液晶ディスプレイに表示される合紙設定画面を示す図である。
【図１２】図６における液晶ディスプレイに表示される合紙詳細設定画面を示す図である。
【図１３】図６における液晶ディスプレイに表示される合紙詳細設定画面を示す図である。
【図１４】図６における液晶ディスプレイに表示される合紙設定画面を示す図である。
【図１５】図６における液晶ディスプレイに表示されるページ印字ブロック設定画面を示す図である。
【図１６】図６における液晶ディスプレイに表示されるページ印字詳細設定画面を示す図である。
【図１７】図６における液晶ディスプレイに表示される挿入紙カウント設定画面を示す図である。
【図１８】ページ番号の合成を説明するための図である。
【図１９】図３のＣＰＵにより実行される束リスト生成処理の手順を示すフローチャートである。
【図２０】図３のＣＰＵにより実行される印刷処理の手順を示すフローチャートである。
【図２１】図３のＣＰＵにより実行される印刷処理の変形例の手順を示すフローチャートである。
【図２２】枚数表示を含むページ印字ブロックリストを示す図である。
【発明を実施するための形態】
【００１３】
以下、本発明の実施の形態について図面を参照しながら詳述する。
以下、本発明を実施するための最良の形態について図面を用いて説明する。なお、本実施の形態では、印刷のことを印字と表現することがある。
【００１４】
図１は、本発明の実施の形態に係る印刷装置１００の外観を示す図である。
【００１５】
図１において、印刷装置１００は、スキャナ１０２、操作部１０６、プリンタ１０３、及びフィニッシャ１０４を備えている。
【００１６】
スキャナ１０２は、原稿から画像を読み取る読み取り手段に対応し、原稿を照明し、ＣＣＤラインセンサを走査することで、原稿に描かれた画像を示す画像データを生成する。この画像データを用いて原稿のカラー判定やサイズ判定などが行われる。
【００１７】
プリンタ１０３は、記録紙に画像を印刷可能な印刷手段に対応し、本実施の形態ではレーザービームプリンタエンジンを備えており、これにより画像データを記録紙に印刷する。フィニッシャ１０４は、印刷された記録紙に対してステイプルや製本などの各種処理を行う。
【００１８】
図１に示される印刷装置１００の構成は、スキャナ１０２、操作部１０６、プリンタ１０３、及びフィニッシャ１０４が一体化された構成となっているが、各々が協調して動作可能であれば、一体化されている必要はない。
【００１９】
図２は、本発明の実施の形態に係る印刷装置１００の電気的構成を示す図である。
【００２０】
図２において、コントローラ１０１は印刷装置１００全体を制御する。スキャナ１０２は、コントローラ１０１とバスで接続され、コントローラ１０１により制御される。プリンタ１０３は、コントローラ１０１とバスで接続され、コントローラ１０１により制御される。フィニッシャ１０４は、コントローラ１０１とバスで接続され、コントローラ１０１により制御される。
【００２１】
操作部１０６は、液晶ディスプレイ２０３及びキーボード２０４を備えている。液晶ディスプレイ２０３は、コントローラ１０１の制御によりユーザに情報を表示する。ユーザがキーボード２０４に対して操作した情報はコントローラ１０１に送信される。また、液晶ディスプレイ２０３には、ユーザが操作可能なタッチパネルが設けられており、タッチパネルに対して操作した情報はコントローラ１０１に送信される。
【００２２】
ネットワークインタフェース１０５は、他の装置とネットワーク通信するためのインタフェースであり、コントローラ１０１とバスで接続され、コントローラ１０１により制御される。ここでのネットワークは一般的なＬＡＮなどが挙げられるが、ネットワーク接続以外にも適用可能なＵＳＢやブルートゥースなど、種々のインタフェースに対応するようにしてもよい。
【００２３】
図３は、図２におけるコントローラ１０１の概略構成を示す図である。
【００２４】
図３において、コントローラ１０１は、ＣＰＵ２０１、メモリ２０２、ＲＯＭ２１０、及びＤＩＳＫ２１１で構成され、各々バス２０９で接続されている。
【００２５】
ＣＰＵ２０１は、コントローラ１０１を制御する。メモリ２０２は、例えばＳＲＡＭなどの揮発性メモリであり、画像データやプログラムが記憶されたり、ＣＰＵ２０１のワークエリアとして用いられる。
【００２６】
ＲＯＭ２１０は、フラッシュメモリなどの不揮発性メモリであり、ブートプログラムや後述するフローチャートに示される処理などをＣＰＵ２０１が行うためのプログラムなどが記憶されている。
【００２７】
ＤＩＳＫ２１１は、ハードディスクやＳＳＤなどであり、画像データやプログラムが記憶される。
【００２８】
上述したメモリ２０２やＤＩＳＫ２１１に記憶された画像データに対して、ＣＰＵ２０１は、画像の合成など種々の処理を行うことができる。特に本実施の形態では、ＣＰＵ２０１はページを示す数字を画像に合成可能となっている。
【００２９】
図４は、図１におけるスキャナ１０２の概略構成を示す図である。
【００３０】
図４において、スキャナ１０２は、原稿１００３に描かれた画像は原稿読み取り装置１０１９の露光部１０１３に対して原稿１００３を相対的に移動させながら読み取る。
【００３１】
原稿１００３は原稿トレイ１００２にセットされ、原稿給紙ローラー１００４は分離パッド１００５と対になっており、これらのより原稿１００３は１枚ずつ搬送される。
【００３２】
搬送された原稿１００３は中間ローラー１００６により搬送され、さらに大ローラー１００８と第１従動ローラー１００９によってさらに搬送される。続いて原稿１００３は、大ローラー１００８と第２従動ローラー１０１０とによって搬送される。
【００３３】
大ローラー１００８と第２従動ローラー１０１０とで搬送された原稿１００３は、流し読み原稿ガラス１０１２と原稿ガイド板１０１７との間を通り、ジャンプ台１０１８を経由して、大ローラー１００８と第３従動ローラー１０１１とにより搬送される。
【００３４】
大ローラー１００８と第３従動ローラー１０１１とにより搬送された原稿１００３は原稿排紙ローラー対１００７により排出される。
【００３５】
なお、流し読み原稿ガラス１０１２と原稿ガイド板１０１７との間では原稿１００３は原稿ガイド板１０１７によって流し読み原稿ガラス１０１２に接触する形で搬送される。
【００３６】
原稿１００３は流し読み原稿ガラス１０１２上を通過する際に、流し読み原稿ガラス１０１２に接している面が露光部１０１３によって露光される。その結果得られる原稿１００３からの反射光がミラーユニット１０１４に伝達される。伝達された反射光はレンズ１０１５を通過して集光されＣＣＤセンサ部１０１６にて電気信号に変換され、画像データとしてコントローラ１０１に送信される。
【００３７】
図５は、図１におけるプリンタ１０３の概略構成を示す図である。
【００３８】
図５におけるプリンタ１０３の構成は、ＣＭＹＫなど４つの色成分でフルカラーで画像を印刷可能なプリンタの構成を示している。
【００３９】
感光ドラム１０２１は１次帯電気１０３１により特定の極性電位に帯電処理され、図示しない露光部によって矢印１０３２に示される位置がコントローラ１０１からの指示に従って露光される。このようにして第１色成分に対応した静電潜像が形成される。
【００４０】
その後、現像機１０２２の４つある現像機中の１つにより現像される。そして、中間転写ベルト１０２３は矢印の方向に駆動される。次いで、感光ドラム１０２１に形成された第１色成分のための静電潜像が、感光ドラム１０２１と中間転写ベルト１０２３との接合部分で、１次転写ローラー１０３０によって形成された電界によって中間転写ベルト１０２３に転写される。
【００４１】
中間転写ベルト１０２３に転写を終えた感光ドラムの表面はクリーニング装置１０２４によって清掃される。この処理を順次繰り返し、４色の画像を中間転写ベルト１０２３に転写させることにより、カラー画像が形成される。なお、単色の画像を形成する場合は一度だけ転写される。
【００４２】
中間転写ベルト１０２３に転写された画像は２次転写ローラー１０２９でカセット１０２５より給紙された記録紙に印刷される。
【００４３】
画像が印刷された記録紙は定着機１０２６で加熱され定着される。定着後、記録紙は排紙口１０３３に排出される。両面印刷は、反転パス１０２８を用いて記録紙を循環させることで行われる。
【００４４】
図６は、図１における操作部１０６を示す図である。
【００４５】
図６において、操作部１０６は、図２で説明したように液晶ディスプレイ２０３及びキーボード２０４を備えている。
【００４６】
液晶ディスプレイ２０３は、操作画面及びソフトキーを表示する。スタートキー４０２は原稿画像の読み取り動作を開始するときなどに用いられる。このスタートキー４０２の中央部には、緑と赤の２色で発光可能なＬＥＤ４０３があり、その色によってスタートキー４０２が使える状態にあるか否かを示す。
【００４７】
ストップキー４０４は稼働中の動作を止めるときに用いられる。テンキー４０５は、数字と文字のボタンで構成され、コピー部数の設定に用いられたり、液晶ディスプレイ２０３の画面を切り替えるときに用いられる。ユーザモードキー４０６は各種設定を行うときに用いられる。
【００４８】
図７は、図６における液晶ディスプレイ２０３に表示される初期画面５０１を示す図である。
【００４９】
図７における初期画面５０１で、ユーザは倍率や記録紙を設定できる。ＣＰＵ２０１は設定された倍率や記録紙を示す内容をメモリ２０２にジョブ設定値として記憶し、スタートキー４０２押下によって開始されるコピージョブに適用する。なお、コピージョブとは、スキャナ１０２によって読み取られた原稿の画像を、ユーザによって設定されたコピージョブの設定値に従って、プリンタ１０３によって記録紙に印刷するジョブである。
【００５０】
また、ユーザは、その他の機能ボタン５０２を押下することにより、様々な機能の設定が可能になる。
【００５１】
図８は、図６における液晶ディスプレイ２０３に表示されるその他の機能画面５０３を示す図である。
【００５２】
図８におけるその他の機能画面５０３は、図７におけるその他の機能ボタン５０２が押下されると表示される。
【００５３】
その他の機能画面５０３において、ユーザがページ印字ボタン５０４、表紙ボタン５０５、及び合紙ボタン５０６などのボタンを押下することにより該当機能の詳細設定を行うことができる。なお、本実施の形態における合紙は間紙であり、紙を貼り合わせる合紙ではない。
【００５４】
下スクロールボタン５０７または上スクロールボタン５０８をユーザが押下することで、画面をスクロールすることができ、他の機能を選択可能となる。画面表示数５０９はその他の機能の画面総数のうち現在何画面目を表示しているかを示す。
【００５５】
閉じるボタン５１０をユーザが押下すると初期画面５０１に戻る。ＣＰＵ２０１はその他の機能画面５０３で設定された内容をメモリ２０２にジョブ設定値として記憶し、スタートキー４０２押下によって開始されるコピージョブに適用する。
【００５６】
図９は、図６における液晶ディスプレイ２０３に表示される印字設定画面６０１を示す図である。
【００５７】
図９における印字設定画面６０１は、図８におけるページ印字ボタン５０４が押下されると表示される。
【００５８】
ＣＰＵ２０１は、ページ印字するボタン６０２が押下されるとページ印字機能を有効とする内容をメモリ２０２にジョブ設定値として記憶する。
【００５９】
一方、ページ印字しないボタン６０３が押下されるとＣＰＵ２０１はページ印字機能を無効とする内容をメモリ２０２にジョブ設定値として記憶する。ページ印字するボタン６０２とページ印字しないボタン６０３はいずれか一方のみ押下可能である。印字設定画面６０１が表示されたときは、ページ印字しないボタン６０３が設定された状態となっている。ユーザがいずれかのボタンを選択し、ＯＫボタン６０４を押下すると、図８のその他の機能画面５０３が表示される。
【００６０】
図１０は、図６における液晶ディスプレイ２０３に表示される表紙設定画面７０１を示す図である。
【００６１】
図１０における表紙設定画面７０１は、図８における表紙ボタン５０５が押下されると表示される。
【００６２】
ユーザは、表紙設定画面７０１で表紙と裏表紙の印刷設定をすることができる。ボタン７０２〜７０５は、表紙の印刷設定をするためのボタンであり、ユーザは、ボタン７０２〜７０５のいずれか１つのボタンを押下することで、表紙の印刷設定ができる。
【００６３】
一方、ボタン７０６〜７０９は、裏表紙の印刷設定をするためのボタンであり、ユーザは、ボタン７０６〜７０９のいずれか１つのボタンを押下することで、裏表紙の印刷設定ができる。
【００６４】
図１０の例では、表紙の表面に印刷することが設定され、裏表紙の裏面に印刷することが設定されている。
【００６５】
ユーザがいずれかのボタンを選択し、ＯＫボタン７１０を押下するとボタン７０２〜７０９により設定した内容をＣＰＵ２０１がメモリ２０２にジョブ設定値として記憶する。また、ユーザが戻るボタン７１１を押下すると図８のその他の機能画面５０３が表示される。
【００６６】
設定取消ボタン７１２が押下されると、ＣＰＵ２０１はメモリ２０２に記憶された表紙と裏表紙に関するジョブ設定値を削除して、その他の機能画面５０３を表示する。
【００６７】
図１１は、図６における液晶ディスプレイ２０３に表示される合紙設定画面８０１を示す図である。
【００６８】
図１１における合紙設定画面８０１は、図８における合紙ボタン５０６が押下されると表示される。
【００６９】
合紙設定リスト８０２には合紙毎の設定内容が表示される。ここで表示される設定内容は、追加ボタン８０３が押下されることで表示される図１２の合紙詳細設定画面８１１で設定された内容である。なお、本実施の形態において、設定可能な合紙枚数は１００枚としている。
【００７０】
この合紙設定リスト８０２で、ユーザは上スクロールボタン８０４または下スクロールボタン８０５を押下することでスクロール表示することができる。
【００７１】
ユーザがＯＫボタン８０７を押下すると、ＣＰＵ２０１は、合紙詳細設定画面８１１で設定された合紙設定値を、ジョブ設定値としてメモリ２０２に記憶してその他の機能画面５０３表示する。
【００７２】
一方、ユーザが設定取消ボタン８０６を押下するとＣＰＵ２０１がメモリ２０２にジョブ設定値として記憶した全ての合紙設定値を削除して、その他の機能画面５０３を表示する。
【００７３】
図１２は、図６における液晶ディスプレイ２０３に表示される合紙詳細設定画面８１１を示す図である。
【００７４】
図１２における合紙詳細設定画面８１１は、上述したように図１１における追加ボタン８０３が押下されると表示される。
【００７５】
ユーザが、挿入先設定ボタン８１２を押下すると挿入先を設定可能となる。ここで挿入先は原稿基準で設定される。ユーザは、テンキー４０５を用いて、挿入先として２〜９９９９までの数値を設定可能である。
【００７６】
ユーザは、合紙給紙段設定ボタン８１３を押下すると、挿入する合紙を給紙するカセットを設定できる。また、ユーザは、ボタン８１４〜８１７のいずれか１つを押下すると合紙への印刷設定ができる。
【００７７】
プリントしないボタン８１４は、挿入先設定ボタン８１２で設定された挿入先に合紙を挿入し、合紙の表面と裏面の両方に画像を印刷しない設定を行うためのボタンである。
【００７８】
更に、ユーザがプリントしないボタン８１４を押下した場合は、図１３の合紙詳細設定画面８１１が表示される。
【００７９】
オモテにプリントするボタン８１５は、挿入先設定ボタン８１２で設定された挿入先に合紙を挿入し、合紙の表面に原稿画像を印刷する設定を行うためのボタンである。例えば、原稿枚数が１０枚で挿入先を５とすると、原稿４枚目が印刷される記録紙の後に合紙が挿入され、合紙の表面に原稿５枚目が印刷され、合紙の裏面は白紙となる。
【００８０】
ウラにプリントするボタン８１６は、挿入先設定ボタン８１２で設定された挿入先に合紙を挿入し、合紙の裏面に原稿画像を印刷する設定を行うためのボタンである。例えば、原稿枚数が１０枚で挿入先を５とすると、原稿４枚目が印刷される記録紙の後に合紙が挿入され、合紙の裏面に原稿５枚目が印刷され、合紙の表面は白紙となる。
【００８１】
両面にプリントするボタン８１７は、挿入先設定ボタン８１２で設定された挿入先に合紙を挿入し、合紙の両面に原稿画像を印刷する設定を行うためのボタンである。例えば、原稿枚数が１０枚で挿入先を５とすると、原稿４枚目が印刷される記録紙の後に合紙が挿入され、合紙の表面に原稿５枚目が印刷され、合紙の裏面に原稿６枚目が印刷される。
【００８２】
ユーザがボタン８１４〜８１７のいずれか１つのボタンを押下し、ＯＫボタン８１８を押下すると、ＣＰＵ２０１は挿入先設定と合紙枚数設定と合紙給紙段設定とプリント設定を合紙設定情報としてジョブ設定値に追加する。そして、ＣＰＵ２０１は、メモリ２０２に記憶して合紙設定画面８０１を表示する。このとき、ＣＰＵ２０１は合紙設定情報に合紙番号を付加する。
【００８３】
一方、ユーザが設定取消ボタン８１９を押下すると、ＣＰＵ２０１は合紙詳細設定画面８１１で設定した合紙のジョブ設定値をメモリ２０２に記憶せずに合紙設定画面８０１を表示する。
【００８４】
図１３は、図６における液晶ディスプレイ２０３に表示される合紙詳細設定画面８１１を示す図である。
【００８５】
図１３における合紙詳細設定画面８１１は、図１２の合紙設定画面８０１に合紙挿入枚数設定ボタン８５０がさらに表示された画面であり、上述したように図１２におけるプリントしないボタン８１４が押下されると表示される。
【００８６】
この合紙挿入枚数設定ボタン８５０により入力された枚数の合紙が挿入されることとなる。例えば、原稿枚数が１０枚で挿入先を５とすると、原稿４枚目と５枚目が印刷される記録紙の間に合紙が設定枚数分挿入されることになる。
【００８７】
図１４は、図６における液晶ディスプレイ２０３に表示される合紙設定画面８０１を示す図である。
【００８８】
図１４における合紙設定画面８０１は、図１２の合紙詳細設定画面８１１で、挿入先を５、合紙給紙段をカセット１、合紙の裏にプリントする、と設定された場合に表示される合紙設定画面８０１である。
【００８９】
合紙設定リスト８０２に１つ目の合紙設定内容が表示される。１つ目とは、「Ｎｏ．」が１の行を示しており、さらにこの「Ｎｏ．」は合紙番号を示している。従って、「Ｎｏ．」が１の行は合紙番号１の設定内容を示している。また、上記合紙設定内容は、図に示されるように、給紙するカセットを示す用紙カセット、挿入位置、挿入する枚数である。
【００９０】
ユーザが合紙設定リスト８０２に表示される合紙設定の行を押下すると、詳細編集ボタン８２０と削除ボタン８２１が表示される。
【００９１】
例えば、ユーザが合紙設定リスト８０２でＮｏ．１の行を選択した状態で詳細編集ボタン８２０を押下すると、Ｎｏ．１の合紙に対する図１０の合紙詳細設定画面８１１が表示され設定変更が可能となる。
【００９２】
ユーザが、表示された合紙詳細設定画面８１１の追加ボタン８０３をさらに押下して、新たな合紙設定をした場合、その合紙設定にはインクリメントした合紙番号が与えられる。その設定内容は、合紙設定リスト８０２に上詰めで表示される。例えば、Ｎｏ．２が空いていればＮｏ．２として表示される。
【００９３】
一方、ユーザが、合紙設定リスト８０２でＮｏ．１の行を選択した状態で削除ボタン８２１を押下すると、Ｎｏ．１に示される合紙設定内容はジョブ設定値から削除される。そして、合紙設定リスト８０２で後続の合紙設定内容があれば、その合紙番号は上位番号に繰り上げされる。
【００９４】
図１５は、図６における液晶ディスプレイ２０３に表示されるページ印字ブロック設定画面９０１を示す図である。
【００９５】
図１５におけるページ印字ブロック設定画面９０１は、図９の印字設定画面６０１でページ印字が有効された状態で、コピージョブを開始するためのスタートキー４０２が押下された直後に表示される。
【００９６】
ＣＰＵ２０１はメモリ２０２に記憶されたジョブ設定値を読み出し、表紙や裏表紙の設定値と合紙設定値から出力紙束を算出してページ印字ブロックリスト９０２に表示する。ページ印字ブロックリスト９０２では、出力紙束、表面、及び裏面について表示される。このうち、出力紙束は、表紙、本文、合紙、及び裏表紙に分類される。この本文は、表紙、合紙、及び裏表紙以外の記録紙である普通記録紙に対応している。また、ページ印字ブロック設定画面９０１には、表紙、合紙、裏表紙、及び普通記録紙の各々を示す、紙の形をしたアイコンが示されている。
【００９７】
表紙設定画面７０１で表紙設定されていれば出力紙束の列に表紙と裏表紙の束が表示される。一方、表紙設定画面７０１で表紙設定がなされていなければ出力紙束の列に表紙と裏表紙の束が表示されない。
【００９８】
また、合紙設定画面８０１で合紙設定されていれば設定された合紙毎に合紙の束が表示される。なお、合紙の挿入先から表紙と合紙とが連続して印刷される場合は、それらの間で本文束は表示されない。同じく、合紙の挿入先から合紙と合紙が連続して印刷される場合は、それらの間で本文束は表示されない。
【００９９】
合紙の挿入先から、表紙と合紙、または合紙と合紙が連続して出力されない場合は、それらの間に本文束が表示される。最後の合紙と裏表紙の間にも本文束が表示される。
【０１００】
ページ印字ブロックリスト９０２の表面と裏面の列は、ページ印字ブロックであるページ印字の設定範囲を示し、ページ印字詳細設定ボタン９０３〜９１０が表示される。本文束のページ印字ブロックは、表紙のページ印字ブロックと裏表紙のページ印字ブロックの中にあり、合紙のページ印字ブロックによって区切られる。
【０１０１】
表紙束と合紙束、裏表紙束は表面と裏面への印字設定があるので、それぞれにページ印字詳細設定ボタン９０３，９０４，９０６，９０７，９０９，９１０が設けられている。
【０１０２】
一方、本文束は表面と裏面の区別のないページ印字詳細設定ボタン９０５，９０８が表示される。なお、実際のページ印字動作では、片面印刷をする場合には表面のみが印刷され、両面印刷をする場合には表面と裏面が印刷される。
【０１０３】
また、ページ印字詳細設定ボタン９０３〜９１０に、画像を印刷するか否かを示す内容を表示してもよい。この場合、表紙束、裏表紙束、及び合紙束については各々の設定値に応じた内容が表示され、本文束については画像を印刷することが表示される。
【０１０４】
このように、画像を印刷するか否かを示す内容を表示することでユーザが出力結果を認識でき、ユーザの意図と異なる誤ったページ印字設定をしてしまう頻度を低減する効果がある。
【０１０５】
上述した図１０の表紙設定画面７０１において、表紙の表面、及び裏表紙の裏面に印刷することが設定されている。また、図１２の合紙詳細設定画面８１１、及び図１４の合紙設定画面８０１において、合紙を１枚とし、その裏面にプリントすることが設定されている。
【０１０６】
このとき、出力紙束は図１５のページ印字ブロックリスト９０２のように、表紙（束１）、裏表紙（束５）、合紙（束３）、及び本文（束２，束４）に分類される。
【０１０７】
この状態で、ユーザが設定完了ボタン９１２を押下すると、ＣＰＵ２０１はジョブ設定値を確定する。具体的には、ページ印字詳細設定ボタン９０３〜９１０の押下により、図１６のページ印字詳細設定画面が表示され、このページ印字詳細設定画面設定されたページ印字設定で、ジョブ設定が確定される。
【０１０８】
一方、ユーザが設定取消ボタン９１１を押下するとＣＰＵ２０１はページ印字設定を取り消してジョブ設定を確定する。
【０１０９】
このように、本実施の形態において、複数の記録紙は、表紙、合紙、裏表紙、及び普通記録紙とを含んでいる。そして、ブロック単位として、表紙のブロック、合紙のブロック、裏表紙のブロック、及び普通記録紙のブロックがある。
【０１１０】
ページ印字ブロック設定画面９０１に示されるように、印刷装置１００から出力される順番に従って、表紙のブロック、合紙のブロック、裏表紙のブロック、及び普通記録紙の各々を示すアイコンを含む画面を液晶ディスプレイ（表示部）２０３に表示する。
【０１１１】
また、このページ印字ブロック設定画面９０１により、表紙、合紙、及び裏表紙に前記ページ番号を前記印刷手段により印刷するか否かを設定可能である。
【０１１２】
図１６は、図６における液晶ディスプレイ２０３に表示されるページ印字詳細設定画面９５１を示す図である。
【０１１３】
図１６におけるページ印字詳細設定画面９５１は、上述したように図１５のページ印字詳細設定ボタン９０３〜９１０が押下されると表示される。
【０１１４】
このページ印字詳細設定画面９５１で該当するページ印字ブロックへの詳細設定が可能である。
【０１１５】
ボタン群９５２はページ印字種類を設定するためのボタンである。ユーザは、ページ印字種類として「数字のみ」、「ハイフン付き数字」、「章付き数字」、及び「総ページ付き数字」のいずれか１つを選択することができる。図では「数字のみ」が選択されている状態を示しており、ボタンの色が反転している。また、ページ印字無効ボタン９７０は、このページ印字ブロックに対するページ番号を付与しないことを設定するためのボタンである。このページ印字無効ボタン９７０が押下されると、ＣＰＵ２０１は、図１５に示す画面で選択された詳細設定ボタンに対応するブロックに属するページにページ番号を付与しないよう設定する。また、このページ印字無効ボタン９７０が押下されると、ページを印字に関する設定を行うためのページ印字詳細設定画面９５１に表示された全てのボタンを選択することができなくなる。このページ印字無効ボタン９７０は、プリンタ１０３により、複数の記録紙を用いて画像を印刷する場合に、１つ以上の記録紙を含むブロック単位でページ番号を付与しない記録紙を設定する設定手段に対応する。また、このページ印字無効ボタン９７０が解除されると、ＣＰＵ２０１は、図１５に示す画面で選択された詳細設定ボタンに対応するブロックに属するページにページ番号を付与するよう設定する。このページ印字無効ボタン９７０により、ページ番号を付与するか否かを容易に設定可能となっている。つまり、図９に示す画面で、ページ印字するボタン６０２が押されたことに従って、ＣＰＵ２０１は、一旦、全てのページにページ番号を順番に付与するよう設定する。その後、図１５に示す画面で、ページ番号を付与しないブロックの指定を受け付けることによって、指定されたブロックに属するページには、ページ番号を付与しないように設定する。なお、図９に示す画面で、ページ印字しない６０３が押されたことに従って、ＣＰＵ２０１が、一旦、全てのページにページ番号を付与しないよう設定し、図１５に示す画面で指定されたブロックに属するページにページ番号を順に付与するよう設定してもよい。
【０１１６】
「画像向き縦」ボタン９５３、及び「画像向き横」ボタン９５４はページ印字で付加する文字の向きを設定するためのボタンであり、ユーザはいずれか１つのボタンを選択することができる。
【０１１７】
印字位置設定ボタン９５８はページ印字の印字位置を設定するためのボタンであり、各矢印の向きに従って「左上」「上」「右上」「左下」「下」「右下」に対応するボタンが表示され、ユーザはいずれか１つのボタンを選択することができる。図では「下」が選択されており、中央に印字位置の出力イメージ９５９が表示される。
【０１１８】
「印字色」ボタン９６０は印字色を設定するためのボタンであり、ユーザが押下すると他の色のリストが表示され、いずれか１つのボタンを選択することができる。
【０１１９】
「印字サイズ」ボタン９６１はページ印字の大きさを指定するためのボタンであり、ユーザが押下すると他のポイント数が表示され、いずれか１つのボタンを選択することができる。
【０１２０】
「印字開始数字」入力エリア９６２は印字するページ印字の開始番号を指定するためのエリアであり、ユーザは開始する数字をテンキー４０５から設定することが可能となっている。このように、本実施の形態では、印刷装置１００から連続して出力される複数の普通記録紙に付与されるページ番号の開始番号を設定可能である。
【０１２１】
引継ボタン９６３は１つ前のページ印字ブロックで最後に印字した印字番号の続き番号で開始することを設定するためのボタンである。「印字開始数字」入力エリア９６２への入力と引継ボタン９６３での設定はいずれか一方が有効である。
【０１２２】
「詳細設定」ボタン９６４は合紙を挿入する設定となっている場合に押下可能であり、ユーザが押下すると図１７の挿入紙カウント設定画面が表示される。
【０１２３】
ユーザがＯＫボタン９６６を押下すると、ＣＰＵ２０１はそのページ印字ブロックのページ印字設定をジョブ設定としてメモリ２０２に記憶して、ページ印字ブロック設定画面９０１を表示する。
【０１２４】
一方、ユーザが設定取消ボタン９６５を押下すると、ＣＰＵ２０１はそのページ印字ブロックのページ印字設定をジョブ設定としてメモリ２０２に記憶せず、ページ印字ブロック設定画面９０１を表示する。
【０１２５】
図１７は、図６における液晶ディスプレイ２０３に表示される挿入紙カウント設定画面９７１を示す図である。
【０１２６】
図１７における挿入紙カウント設定画面９７１は、上述したように図１６の「詳細設定」ボタン９６４が押下されると表示される。
【０１２７】
挿入紙カウント設定画面９７１には、合紙設定により合紙の挿入が設定された場合に、挿入される合紙をページ数のカウントに含める「カウントする」ボタン９７３と、カウントに含めない「カウントしない」ボタン９７２とが表示される。
【０１２８】
ユーザがいずれか１つのボタンを選択することにより、カウントするか否かを設定することができる。ユーザが、いずれか１つのボタンを選択し、ＯＫボタン９７４を押下するとページ印字詳細設定画面が表示される。
【０１２９】
図１８は、ページ番号の合成を説明するための図である。
【０１３０】
図１８において、原稿１１０１をスキャナ１０２で読み取ると、メモリ２０２に画像データ１１０２が展開される。ページ印字を行うときは、画像データが示す画像に対するページ印字を行う位置１１０３が決定される。
【０１３１】
印字位置設定ボタン９５８の指示により右上であれば（１）、左上であれば（５）で示されるメモリ２０２における位置を算出し、この位置にページ数や文字列を配置するように合成する。
【０１３２】
なお、右上が指定されても、単純に画像の右上に配置するのではなく、機器にあらかじめ設定されているマージンの分だけ内側に文字列を配置する。そのため右上のページ印字位置の座標は（ＭＡＲＧＩＮ  ，  ＭＡＲＧＩＮ）となる。
【０１３３】
また、左上と指定された場合の位置は（５）になるので、その座標は（ＭＡＲＧＩＮ  ，  ＩＭＡＧＥＡＲＥＡ＿Ｙ−ＭＡＲＧＩＮ）となる。印字位置が決定した後に、ページ印字用の画像１１０４と、画像データ１１０２とを合成し、画像１１０５に示すような画像が生成され、この画像が記録紙に印刷される。
【０１３４】
図１９は、図３のＣＰＵ２０１により実行される束リスト生成処理の手順を示すフローチャートである。この束リスト生成処理は、図１５のページ印字ブロックリスト９０２を表示する際に実行される。
【０１３５】
図１９において、ＣＰＵ２０１はメモリ２０２からジョブ設定値を取得する（ステップＳ１００１）。また、ＣＰＵ２０１はメモリ２０２にページ印字ブロックリスト９０２で出力紙束を表現するためのリスト構造の束リストを記憶する領域を確保する。
【０１３６】
次いで、ＣＰＵ２０１は取得したジョブ設定値から、合紙設定されているか否か判別する（ステップＳ１００２）。ステップＳ１００２の判別の結果、合紙設定されていないときは（ステップＳ１００２でＮＯ）、ステップＳ１００５に進む。
【０１３７】
一方、ステップＳ１００２の判別の結果、合紙設定されているときは（ステップＳ１００２でＹＥＳ）、ＣＰＵ２０１は束リストに合紙番号順で各合紙の束を挿入する（ステップＳ１００３）。
【０１３８】
そして、ＣＰＵ２０１は束リストに挿入した各合紙束の表面と裏面のページ印字ブロックを割り当てる（ステップＳ１００４）。
【０１３９】
次いで、ＣＰＵ２０１はジョブ設定値から、表紙設定されているか否か判別する（ステップＳ１００５）。ステップＳ１００５の判別の結果、表紙設定されていないときは（ステップＳ１００５でＮＯ）、ステップＳ１０１０に進む。
【０１４０】
一方、ステップＳ１００５の判別の結果、表紙設定されているときは（ステップＳ１００５でＹＥＳ）、ＣＰＵ２０１は表紙束を束リストの先頭に挿入する（ステップＳ１００６）。そして、ＣＰＵ２０１は、挿入した表紙束の表面と裏面のページ印字ブロックを割り当てる（ステップＳ１００７）。
【０１４１】
そして、ＣＰＵ２０１は裏表紙束を束リストの最後に挿入し（ステップＳ１００８）、挿入した裏表紙束の表面と裏面のページ印字ブロックを割り当てる（ステップＳ１００９）。
【０１４２】
次いで、ＣＰＵ２０１はジョブ設定値から、合紙設定されているか否か判別する（ステップＳ１０１０）。ステップＳ１０１０の判別の結果、合紙設定されていないときは（ステップＳ１０１０でＮＯ）、ステップＳ１０１５に進む。
【０１４３】
一方、ステップＳ１０１０の判別の結果、合紙設定されているときは（ステップＳ１０１０でＹＥＳ）、ＣＰＵ２０１は合紙束の前に本文束を挿入する必要があるかを判別する（ステップＳ１０１１）。
【０１４４】
このステップＳ１０１１では、合紙束が先頭の合紙束の場合は、その直前に表紙束があり、表紙束と合紙束が連続するときは本文束の挿入が不要と判別され、連続していない場合は必要と判別される。
【０１４５】
また、直前に表紙束がない場合は、該合紙束の挿入位置は２以降なので本文束の挿入が必要と判別される。先頭の合紙束以外の場合は、直前の合紙束と挿入する合紙束が連続する場合は本文束の挿入が不要と判別する。合紙束が連続しない場合は必要と判別される。
【０１４６】
ステップＳ１０１１の判別の結果、本文束を挿入する必要がないと判別されたときは（ステップＳ１０１１でＮＯ）、ステップＳ１０１４に進む。
【０１４７】
一方、ステップＳ１０１１の判別の結果、本文束を挿入する必要があると判別されたときは（ステップＳ１０１１でＹＥＳ）、ＣＰＵ２０１は合紙束の前に本文束を挿入する（ステップＳ１０１２）。そして、ＣＰＵ２０１は本文束のページ印字ブロックを割り当てる（ステップＳ１０１３）。
【０１４８】
次いで、全ての合紙束に対して、ステップＳ１０１１の本文束挿入判別処理を行ったか否か判別する（ステップＳ１０１４）。ステップＳ１０１４の判別の結果、否定判別されたときは（ステップＳ１０１４でＮＯ）、上記ステップＳ１０１４に進む。
【０１４９】
一方、ステップＳ１０１４の判別の結果、肯定判別されたときは（ステップＳ１０１４でＹＥＳ）、ＣＰＵ２０１はジョブ設定値から、束リストに裏表紙束があるか否か判別する（ステップＳ１０１５）。
【０１５０】
ステップＳ１０１５の判別の結果、束リストに裏表紙束がないときは（ステップＳ１０１５でＮＯ）、ＣＰＵ２０１は本文束を束リストの最後に挿入し（ステップＳ１０１７）、ステップＳ１０１８に進む。
【０１５１】
一方、ステップＳ１０１５の判別の結果、束リストに裏表紙束があるときは（ステップＳ１０１５でＹＥＳ）、本文束を束リストの裏表紙束の直前に挿入する（ステップＳ１０１６）。
【０１５２】
そして、ＣＰＵ２０１は最後の本文束のページ印字ブロックを割り当てて（ステップＳ１０１８）、本処理を終了する。
【０１５３】
上述した印刷処理におけるステップＳ１００４、Ｓ１００９、Ｓ１０１３、Ｓ１０１８は、ページ印字無効ボタン９７０でページ印字を無効としている場合には行われない。この束リスト生成処理は、ＣＰＵ２０１がプリンタ１０３を制御する際に用いられるので、ＣＰＵ２０１は、設定された記録紙を除いてページ番号を記録紙に印刷するようにプリンタ１０３を制御する制御手段に対応する。
【０１５４】
このようにして生成された束リストに従って、ＣＰＵ２０１は束順でページ印字ブロックリスト９０２に表示するとともに、各束の表面と裏面のページ印字ブロックに対するページ印字詳細設定ボタン９０３〜９１０を表示する。
【０１５５】
図２０は、図３のＣＰＵ２０１により実行される印刷処理の手順を示すフローチャートである。この印刷処理は、スタートキー４０２が押下され、コピージョブの実行指示を受け付けた場合に、ＣＰＵ２０１によって実行される。
【０１５６】
図２０において、ＣＰＵ２０１はスタートキー４０２が押下されると（ステップＳ１１０１でＹＥＳ）、メモリ２０２からジョブ設定値を取得する（ステップＳ１１０２）。
【０１５７】
次いで、ＣＰＵ２０１はジョブ設定値から、ページ印字が有効か否か判別する（ステップＳ１１０３）。ステップＳ１１０３の判別の結果、ページ印字が無効のとき（ステップＳ１１０３でＮＯ）、ステップＳ１１０８に進む。
【０１５８】
一方、ステップＳ１１０３の判別の結果、ページ印字が有効のとき（ステップＳ１１０３でＹＥＳ）、Ｓ１１０４に進む。そして、ＣＰＵ２０１は図１９の束リスト生成処理により生成された束リストを用いてページ印字ブロックリスト９０２にページ印字ブロックを表示する（ステップＳ１１０４）。
【０１５９】
次いで、ＣＰＵ２０１はいずれかのページ印字詳細設定ボタンが押下されたか否か判別する（ステップＳ１１０５）。ステップＳ１１０５の判別の結果、いずれかのページ印字詳細設定ボタンが押下されないときは（ステップＳ１１０５でＮＯ）、ステップＳ１１０７に進む。
【０１６０】
一方、ステップＳ１１０５の判別の結果、いずれかのページ印字詳細設定ボタンが押下されたときは（ステップＳ１１０５でＹＥＳ）、ＣＰＵ２０１は押下されたページ印字ブロックのページ印字詳細設定画面９５１を表示する。そして、ユーザから入力されるページ印字設定をジョブ設定値に反映してメモリ２０２に記憶する（ステップＳ１１０６）。
【０１６１】
次いで、ＣＰＵ２０１はページ印字設定が完了したか否か判別する（ステップＳ１１０７）。ページ印字設定が完了は、設定取消ボタン９１１または設定完了ボタン９１２が押下されたか否かで判別される。
【０１６２】
ステップＳ１１０７の判別の結果、ページ印字設定が完了していないときは（ステップＳ１１０７でＮＯ）、ステップＳ１１０５に進む。
【０１６３】
一方、ステップＳ１１０７の判別の結果、ページ印字設定が完了したときは（ステップＳ１１０７でＹＥＳ）、ＣＰＵ２０１は原稿の読取動作を開始する（ステップＳ１１０８）。そして、ＣＰＵ２０１は、ページ印字、表紙裏表紙挿入、及び合紙挿入などの設定に従って、印刷動作を実行する（ステップＳ１１０９）。具体的に、ＣＰＵ２０１は、原稿の画像を印刷しつつ、ページ印字するよう設定されているブロックに属するページにページ番号を順に付与するよう制御し、ページ印字するよう設定されていないブロックに属するページにページ番号を付与しないよう制御する。そして、印刷が完了したら、本処理を終了する。
【０１６４】
以上説明したように、図２０の印刷処理では、表紙や裏表紙、合紙の設定完了後のスタートキー４０２押下後に、ページ印字の詳細設定が行われるようになっている。
【０１６５】
従って、ユーザの意図と異なる誤ったページ印字設定をしてしまう頻度を低減する効果がある。また、図２０の印刷処理は、ジョブ設定値からページ印字ブロックを生成してそれを表示し、ユーザはページ印字ブロックに対してページ印字設定するので原稿読取開始から印刷完了までにプレビュー画像を生成する必要もない。
【０１６６】
上述した図２０の印刷処理では、ページ印字設定が完了してから原稿の読取動作を開始しているが、原稿の読取完了後にページ印字設定を行うようにしてもよい。
【０１６７】
図２１は、図３のＣＰＵ２０１により実行される印刷処理の変形例の手順を示すフローチャートである。この印刷処理は、スタートキー４０２が押下され、コピージョブの実行指示を受け付けた場合に、ＣＰＵ２０１によって実行される。
【０１６８】
図２１において、ＣＰＵ２０１はスタートキー４０２が押下されると（ステップＳ１２０１でＹＥＳ）、メモリ２０２からジョブ設定値を取得する（ステップＳ１２０２）。
【０１６９】
次いで、ＣＰＵ２０１は原稿の読取動作を開始する（ステップＳ１２０３）。読み取り動作が終了すると、ＣＰＵ２０１はジョブ設定値から、ページ印字が有効か否か判別する（ステップＳ１２０４）。ステップＳ１２０４の判別の結果、ページ印字が無効のとき（ステップＳ１２０４でＮＯ）、ステップＳ１２０９に進む。
【０１７０】
一方、ステップＳ１２０４の判別の結果、ページ印字が有効のとき（ステップＳ１２０４でＹＥＳ）、Ｓ１２０５に進む。そして、ＣＰＵ２０１は図１９の束リスト生成処理により生成された束リストを用いてページ印字ブロックリスト９０２にページ印字ブロックを表示する（ステップＳ１２０５）。
【０１７１】
次いで、ＣＰＵ２０１はいずれかのページ印字詳細設定ボタンが押下されたか否か判別する（ステップＳ１２０６）。ステップＳ１２０６の判別の結果、いずれかのページ印字詳細設定ボタンが押下されないときは（ステップＳ１２０６でＮＯ）、ステップＳ１２０８に進む。
【０１７２】
一方、ステップＳ１２０６の判別の結果、いずれかのページ印字詳細設定ボタンが押下されたときは（ステップＳ１２０６でＹＥＳ）、ＣＰＵ２０１は押下されたページ印字ブロックのページ印字詳細設定画面９５１を表示する。そして、ユーザから入力されるページ印字設定をジョブ設定値に反映してメモリ２０２に記憶する（ステップＳ１２０７）。
【０１７３】
次いで、ＣＰＵ２０１はページ印字設定が完了したか否か判別する（ステップＳ１２０８）。ページ印字設定が完了は、設定取消ボタン９１１または設定完了ボタン９１２が押下されたか否かで判別される。
【０１７４】
ステップＳ１２０８の判別の結果、ページ印字設定が完了していないときは（ステップＳ１２０８でＮＯ）、ステップＳ１２０６に進む。
【０１７５】
一方、ステップＳ１２０８の判別の結果、ページ印字設定が完了したときは（ステップＳ１２０８でＹＥＳ）、ＣＰＵ２０１は、ページ印字、表紙裏表紙挿入、及び合紙挿入などの設定に従って、印刷動作を開始して（ステップＳ１２０９）、本処理を終了する。具体的に、ＣＰＵ２０１は、原稿の画像を印刷しつつ、ページ印字するよう設定されているブロックに属するページにページ番号を順に付与するよう制御し、ページ印字するよう設定されていないブロックに属するページにページ番号を付与しないよう制御する。そして、印刷が完了したら、本処理を終了する。
【０１７６】
このように、変形例では原稿を読み取ってからページ印字の詳細設定を行うので、アイコン表示で枚数を表示することが可能になる。
【０１７７】
図２２は、枚数表示を含むページ印字ブロックリスト９０２を示す図である。
【０１７８】
図２２において、ページ印字ブロックリスト９０２は、図１５のページ印字ブロックリスト９０２における本文束に対して、枚数を表示した画面となっている。このように、ページ印字ブロックリスト９０２は、普通記録紙の枚数を示す情報をさらに含んでいる。
【０１７９】
こうして本文束の枚数を表示することで、ユーザが出力結果を認識でき、ユーザの意図と異なる誤ったページ印字設定をしてしまう頻度を低減する効果がある。また、図２１の印刷処理は、ジョブ設定値からページ印字ブロックを生成してそれを表示し、ユーザはページ印字ブロックに対してページ印字設定するので原稿読取開始から印刷完了までにプレビュー画像を生成する必要もない。
【０１８０】
上記図２０，２１の印刷処理に示されるように、本実施の形態では、スキャナ１０２により読み取られた複数の画像をプリンタ１０３により印刷する場合に、次のタイミングでページ番号を付与しない記録紙を設定することができる。スキャナ１０２により原稿を読み取る前か（図２０）、スキャナ１０２により原稿を読み取った後に（図２１）、ページ番号を付与しない記録紙を設定することができる。
【０１８１】
（他の実施の形態）
なお、上述した実施形態では、スキャナ１０２によって読み取られた原稿の画像を、ユーザによって設定されたコピージョブの設定値に従って、プリンタ１０３によって記録紙に印刷するコピージョブを例に説明した。本発明は、これに限られることなく、ネットワークインタフェース１０５を介して、ＰＣ等の外部装置からネットワークを介して受信した印刷データに従って、記録紙に画像を印刷するプリントジョブを実行する場合に適用してもよい。その場合、ＰＣのＣＰＵが、図７〜図１７に示す画面をＰＣのディスプレイに表示し、ＰＣの操作部を介してユーザにページ印字の設定を行わせればよい。また、図１５に示す画面をＰＣのディスプレイに表示するために、ＰＣのＣＰＵが、図１９に示す処理を実行すればよい。そして、ＰＣのＣＰＵが、ユーザからページ印字の設定を受け付けた後、当該設定を含む印刷データを印刷装置１００に送信し、印刷装置１００のＣＰＵ２０１が、受信した印刷データに従って、印刷動作を実行すればよい。
【０１８２】
また、ＰＣから受信した印刷データを、印刷装置１００のメモリ２０２に溜め置き、当該溜め置いた印刷データに対して、印刷装置１００のＣＰＵ２０１が図７〜図１７に示す画面を液晶ディスプレイ２０３に表示し、ユーザから合紙設定を受け付けてもよい。
【０１８３】
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１８４】
１００  印刷装置
１０１  コントローラ
１０２  スキャナ
１０３  プリンタ
２０１  ＣＰＵ
２０２  メモリ
２０３  液晶ディスプレイ
２０４  キーボード
【図１】
2014027604.tif 000003
【図２】
2014027604.tif 000004
【図３】
2014027604.tif 000005
【図４】
2014027604.tif 000006
【図５】
2014027604.tif 000007
【図６】
2014027604.tif 000008
【図７】
2014027604.tif 000009
【図８】
2014027604.tif 000010
【図９】
2014027604.tif 000011
【図１０】
2014027604.tif 000012
【図１１】
2014027604.tif 000013
【図１２】
2014027604.tif 000014
【図１３】
2014027604.tif 000015
【図１４】
2014027604.tif 000016
【図１５】
2014027604.tif 000017
【図１６】
2014027604.tif 000018
【図１７】
2014027604.tif 000019
【図１８】
2014027604.tif 000020
【図１９】
2014027604.tif 000021
【図２０】
2014027604.tif 000022
【図２１】
2014027604.tif 000023
【図２２】
2014027604.tif 000024